(57)【要約】【課題】補強工事が施工空間だけで完了でき、簡単な構成で強度の大きい耐震補強用接合構造を提供することを目的とする。【解決手段】断面角形又は円形の構造部材に耐震補強用部材を接合する接合金具において、前記接合金具は前記構造部材の一方の面と面接合する接合部を有し、前記接合金具と前記構造部材の一方の面とを接着剤または高力ボルトで接合し、前記接合金具は接合部の反対側に補強部を有し、前記補強部に少なくとも１枚の水平補強リブを固定したことを特徴とする耐震補強用接合構造。【選択図】図１
2004270320.tif 000002
【特許請求の範囲】
【請求項１】
断面角形又は円形の構造部材に耐震補強用部材を接合する接合金具において、前記接合金具は前記構造部材の一方の面と面接合する接合部を有し、前記接合金具と前記構造部材の一方の面とを接着剤または高力ボルトで接合し、前記接合金具は接合部の反対側に補強部を有し、前記補強部に少なくとも１枚の水平補強リブを固定したことを特徴とする耐震補強用接合構造。
【請求項２】
前記接合金具の補強部に耐震補強用部材を接合するためのガセットプレートを固定したことを特徴とする請求項１に記載の耐震補強用接合構造。
【請求項３】
前記構造部材が柱であり、前記耐震補強用部材がブレースであることを特徴とする請求項１又は２に記載の耐震補強用接合構造。
【発明の詳細な説明】
【０００１】
【発明の属する技術分野】
本発明は、構造物を耐震補強するため断面角形の構造部材に耐震補強用部材を接合する耐震補強用接合構造に関する。
【０００２】
【従来の技術】
従来、構造物が鉄骨構造の場合は、ブレース等の耐震補強用部材を柱梁の交差部に接合する接合金具を現場溶接により接合していた。
また、構造物が鉄筋コンクリート構造、鉄骨鉄筋コンクリート構造の場合、耐震補強用部材を設置するために鉄骨枠組を据えつけて行っていた。
柱、梁等の構造部材にブレース等の耐震補強用部材を接合する接合構造として、例えば、特開平１０−２９２６３６号公報（以下、「従来例１」という。）には図５に示されるように、断面角形の構造部材である柱２１に耐震補強用部材であるブレース２２を接合するための接合金具２３は、２つに分割されブレース２２の端部との連結用つば２５を形成した鋼板ジャケット２４で構成し、２つの鋼板ジャケット２４を断面角形の柱２２の外周に抱き込むように配置し、断面角形の柱２２と接合金具２３との間にモルタル又はコンクリートを充填して固定し、鋼板ジャケット２４の連結用つば２５とブレース２２の端部を連結する耐震補強用接合構造が開示されている。
また、特開平１０−１８４０３１号公報（以下、「従来例２」という。）には、断面角形の柱にブレース等の耐震補強用部材を接合するための接合金具において、断面凸状に成形された鋼板を断面角形の柱に当接し、且つ前記断面角形の柱及び前記鋼板外面に沿って高強度繊維シートを接着しながら巻き付け、前記角形柱と鋼板との間にコンクリートを充填して固定し、前記鋼板に耐震補強用部材を連結した耐震補強用接合構造が開示されている。
【０００３】
【特許文献１】
特開平１０−２９２６３６号公報
【特許文献２】
特開平１０−１８４０３１号公報
【０００４】
【発明が解決しようとする課題】
しかし、鉄骨構造の場合の現場溶接による接合では、無理な姿勢での現場溶接のため溶接強度の信頼性が低下し、現場溶接のため溶接箇所周囲の養生が必要であり、既存の構造物の場合、居つき工事ができず、工事期間が長くなるという問題を有していた。
また、鉄筋コンクリート構造、鉄骨鉄筋コンクリート構造の場合は、限られたスペースでの鉄骨枠組の据付工事が必要であり、工事期間が長期化し、コスト高になるという問題が発生する。
さらに、鉄骨鉄筋コンクリート構造では、内部の鉄骨が邪魔になり長い後施工アンカーが施工できないという問題が発生する。
断面角形の構造部材に接合金具を固定する従来例１の場合は、柱と耐震補強用部材の接合金具としての鋼板ジャケットが柱全体を抱え込む形状となっているため、工事する際に隣室まで作業範囲がおよんでしまい、柱が独立柱でなければ適用できず、鉄骨構造で間仕切り壁がある場合は、壁を壊す必要があり、鉄筋コンクリート構造の場合は、壁、袖壁が存在すると適用できないという問題が発生する。また、鋼板ジャケットの剛性が小さいとブレースとの接合部に引張力が作用する場合、鋼板ジャケットが面外に変形するため、鋼板ジャケットの板厚を厚くしなければならず、コスト高となる。
従来例２の場合は、断面角形の柱と断面凸状に成形された鋼板を当接し、高強度繊維シートを接着しながら巻き付けつ固定するものであるため、工事する際に隣室まで作業範囲がおよんでしまい、柱が独立柱でなければ適用できず、炭素繊維等の高強度繊維は高価であり、コスト高となる。
【０００５】
本発明は、上記課題を解決する、補強工事が施工空間だけで完了でき、簡単な構成で強度の大きい耐震補強用接合構造を提供することを目的とする。
【０００６】
【課題を解決するための手段】
本第１発明は、上記課題を解決するために、耐震補強用接合構造において、断面角形又は円形の構造部材に耐震補強用部材を接合する接合金具において、前記接合金具は前記構造部材の一方の面と面接合する接合部を有し、前記接合金具と前記構造部材の一方の面とを接着剤または高力ボルトで接合し、前記接合金具は接合部の反対側に補強部を有し、前記補強部に少なくとも１枚の水平補強リブを固定したことを特徴とする。
【０００７】
本第２発明は、本第１発明の耐震補強用接合構造において、前記接合金具の補強部に耐震補強用部材を接合するためのガセットプレートを固定したことを特徴とする。
【０００８】
本第３発明は、本第１または第２発明の耐震補強用接合構造において、前記構造部材が柱であり、前記耐震補強用部材がブレースであることを特徴とする。
【０００９】
【作用】
本発明の構成により、断面角形又は円形の構造部材に耐震補強用部材を接合する接合金具において、前記接合金具は断面角形又は円形の前記構造部材の一方の面と面接合する接合部を有し、前記接合金具の接合部と前記構造部材の一方の面とを接着剤または高力ボルトで接合し、前記接合金具は接合部の反対側に補強部を有し、前記補強部に少なくとも１枚の水平補強リブを固定する構成により、耐震補強工事が工事対象空間だけですみ、接着剤または高力ボルトによる接合であるため、溶接作業がなく、騒音及び振動の発生が抑制され、工事対象空間外の空間では、通常の生活が可能となり、工期も短縮可能となり、施工コストの安価な耐震補強用接合構造を可能とする。
また、前記接合金具の接合部との反対側の補強部に少なくとも１枚の水平補強リブを固定することにより、接合金具の板厚を厚くすることなく接合金具の剛性を向上させ、接合金具に接合される耐震補強用部材からの引張力を接合金具の構造部材との接合部を介して面内応力として構造部材に伝達するため、支持力の大きい接合金具が可能となる。
【００１０】
【発明の実施の形態】
本発明の実施の形態を図により説明する。
図１に示されるように、本発明の耐震補強用接合構造１は、構造部材としての断面角形又は丸形の柱２にダイアフラム３を介して梁４が接続され、梁４上にコンクリートスラブ５が配置される建築構造物等に適用される。この構造物を耐震補強するための耐震補強用接合構造１は、耐震補強用部材としてのブレース６と、ブレース６を構造部材に連結するため接合金具７を有する。
【００１１】
図２に示される実施形態では、接合金具７は、断面角形の柱２の一方の面と面接合する断面コ字形の接合部８を備える。接合金具７は、断面角形の柱２の接合する断面コ字形の接合部８と反対側に補強部９を備える。接合金具７の補強部９に、ガセットプレート１０の一端が溶接等の手段により固定される。接合金具７の補強部９に少なくとも１枚の水平補強リブ１１が溶接等の手段により固定される。断面角形の柱２と接合金具７の接合部８とは、エポキシ樹脂系接着剤等の接着剤１２又は高力ボルトにより接合される。ガセトプレート１０に耐震補強材としてのブレース６が連結ボルト等により連結される。
【００１２】
図３に示される実施形態では、接合金具７は断面丸形の柱２の一方の面と面接合する断面半円形の接合部８を備える。接合金具７は、断面Ｈ形の補強部９を備え、断面半円形の接合部８の反対側の補強部９にガセットプレート１０の一端が溶接等の手段により固定される。接合金具７の補強部９に少なくとも１枚の水平補強リブ１１が溶接等の手段により固定される。断面丸形の柱２と接合金具７の接合部８とは、エポキシ樹脂系接着剤等の接着剤１２又は高力ボルトにより接合される。ガセトプレート１０に耐震補強材としてのブレース６が連結ボルト等により連結される。
【００１３】
図４に示される実施形態では、接合金具７は断面角形の柱２の角部を中心とした一方の面と面接合する断面略Ｌ形の接合部８を備える。接合金具７は、断面Ｈ形の補強部９を備え、断面略Ｌ形の接合部８の反対側の補強部９にガセットプレート１０の一端が溶接等の手段により固定される。接合金具７の補強部９に少なくとも１枚の水平補強リブ１１が溶接等の手段により固定される。断面角形の柱２と接合金具７の断面略Ｌ形の接合部８とは、エポキシ樹脂系接着剤等の接着剤１２又は高力ボルトにより接合される。ガセトプレート１０に耐震補強材としてのブレース６が連結ボルト等により連結される。
【００１４】
【発明の効果】
本発明の構成により、断面角形又は円形の構造部材の一方の面に接合金具の接合部を面接合し、エポキシ樹脂系接着剤等の接着剤または高力ボルトで連結するので、耐震補強工事が工事対象空間だけですみ、接着剤または高力ボルトによる接合であるため、溶接作業がなく、騒音及び振動の発生が抑制され、工事対象空間外の空間では、通常の生活が可能となり、工期も短縮可能となり、施工コストの安価な耐震補強用接合構造を可能とする。
また、前記接合金具の接合部との反対側の補強部に少なくとも１枚の水平補強リブを固定することにより、接合金具の板厚を厚くすることなく接合金具の剛性を向上させ、接合金具に接合される耐震補強用部材からの引張力を接合金具の接合部を介して面内応力として断面角形又は円形の構造部材に伝達するため、支持力の大きい接合金具が可能となる。
【図面の簡単な説明】
【図１】本発明の一実施形態を示す正面図。
【図２】本発明の一実施形態を示す一部断面図。
【図３】本発明の一実施形態を示す一部断面図。
【図４】本発明の一実施形態を示す一部断面図。
【図５】従来の耐震補強用接合構造を示す図。
【符号の説明】
１：  耐震補強用接合構造
２：  断面角形又は円形の柱
３：ダイアフラム
４：梁
５：コンクリートスラブ
６：ブレース
７：接合金具
８：接合部
９：補強部
１０：ガセットプレート
１１：水平補強リブ
１２：接着剤
１３：連結ボルト
２１：断面角形柱
２２：ブレース
２３：接合金具
２４：鋼板ジャケット
２５：連結用つば２５
【図１】
2004270320.tif 000003
【図２】
2004270320.tif 000004
【図３】
2004270320.tif 000005
【図４】
2004270320.tif 000006
【図５】
2004270320.tif 000007